(57)【特許請求の範囲】
【請求項１】
購入商品の指定手段と、前記指定手段の指定操作に応じて購入商品を投出する搬出手段と共に、金額データが記憶されたデータキャリアに対して金額データの読み書きを非接触にて行う読み書き手段と、前記読み書き手段に読み取られた金額データから購入商品の代金を差し引いた残額を求め、前記読み書き手段に書き込み用の更新データとして送出すると同時に、前記残額に基づいて販売の可否を判定する演算制御部と、不足金額を現金精算にて行えるか否かを設定できる現金追加選択手段を備え、前記現金追加選択手段は前記データキャリアの残金が前記購入商品の代金以下で一定金額以上であれば現金販売を選択でき、現金追加により精算を行えることを特徴とする自動販売機の制御装置。
【請求項２】
購入商品の指定手段と、前記指定手段の指定操作に応じて購入商品を投出する搬出手段と共に、金額データが記憶されたデータキャリアに対して金額データの読み書きを非接触にて行う読み書き手段と、前記読み書き手段に読み取られた金額データから購入商品の代金を差し引いた残額を求め、前記読み書き手段に書き込み用の更新データとして送出すると同時に、前記残額に基づいて販売の可否を判定する演算制御部と、不足金額を現金精算にて行えるか否かを設定できる現金追加選択手段と販売可否を選択するため前記データキャリア残高の設定を行う残高設定手段を備え、前記残高設定手段により設定された前記データキャリアの残金に応じて現金販売の可否を選択できることを特徴とする自動販売機の制御装置。
【発明の詳細な説明】
【０００１】
【発明の属する技術分野】
本発明は、タッチ式カード読み書き装置による精算が行える制御装置に関するものである。
【０００２】
【従来の技術】
従来のカード読み書き装置による精算が行える制御装置としては、たとえば特開平６−２７０７９０号公報に示されているように、カード読み書き装置により販売商品の精算を行えるものが提案されている。
【０００３】
【発明が解決しようとする課題】
しかしながら上記のような構成では、カードのデータを読み取り、販売可能である商品から選択しなければならず、販売および精算処理の一連の動作が長いだけでなく、カード残高が不足した場合、商品販売ができないといった課題を有していた。
【０００４】
本発明は、上記課題に鑑み、商品選択をはじめに行い、その選択に応じた精算をカードにより瞬時に行え、カード残高不足時においても現金追加により商品販売を可能とした自動販売機の制御装置を提供するものである。
【０００５】
【課題を解決するための手段】
本発明の請求項１に記載の発明は、購入商品の指定手段と、前記指定手段の指定操作に応じて購入商品を投出する搬出手段と共に、金額データが記憶されたデータキャリアに対して金額データの読み書きを非接触にて行う読み書き手段と、前記読み書き手段に読み取られた金額データから購入商品の代金を差し引いた残額を求め、前記読み書き手段に書き込み用の更新データとして送出すると同時に、前記残額に基づいて販売の可否を判定する演算制御部と、不足金額を現金精算にて行えるか否かを設定できる現金追加選択手段を備え、前記現金追加選択手段は前記データキャリアの残金が前記購入商品の代金以下で一定金額以上であれば現金販売を選択でき、現金追加により精算を行えるという作用を有する。
【００１０】
請求項２に記載の発明は、購入商品の指定手段と、前記指定手段の指定操作に応じて購入商品を投出する搬出手段と共に、金額データが記憶されたデータキャリアに対して金額データの読み書きを非接触にて行う読み書き手段と、前読み書き手段に読み取られた金額データから購入商品の代金を差し引いた残額を求め、前記読み書き手段に書き込み用の更新データとして送出すると同時に、前記残額に基づいて販売の可否を判定する演算制御部と、不足金額を現金精算にて行えるか否かを設定できる現金追加選択手段と販売可否を選択するためデータキャリア残高の設定を行う残高設定手段とを備え、前記残高設定手段により設定されたデータキャリアの残金に応じて現金販売の可否を選択できるという作用を有する。
【００１１】
【発明の実施の形態】
以下、本発明による自動販売機の制御装置の実施の形態について、図面を参照しながら説明する。
【００１２】
（実施の形態１）
図１は本発明の実施の形態１による自動販売機の制御装置の要部構成を示すブロック図である。図２は、同実施の形態の動作を示すフローチャートである。
【００１３】
図１、図２において、１は購入商品の選択を行う指定手段、２はカードの金額データの読み書きを非接触にて行う読み書き手段、３はカード残高に基づいて販売可否を判定する演算制御部、４は現金を金銭データを算出する検銭部、５は選択商品の搬出を行う搬出手段、６は金額データを記憶されたカード（データキャリア）である。
【００１４】
以上のように構成された自動販売機の制御装置について、以下その動作を説明する。
【００１５】
指定手段１によって販売商品が選定され（ＳＴＥＰ１）、カード６を読み書き手段２のカード読み書き部にかざすと（ＳＴＥＰ２）、演算制御部３は、商品価格データを前記タッチ式カード読み書き装置２により読み込まれたカード残高と比較し（ＳＴＥＰ３）、カード残高が商品価格データ以上であれば、前記読み書き手段２に商品を精算するための精算データを出力し、カード残高を書き換え（ＳＴＥＰ５）、選択された商品を搬出手段５にて搬出する。
【００１６】
またこのとき、カード残高が商品価格データ以下であれば、検銭部４に不足金額を現金にて追加することにより（ＳＴＥＰ４）、商品販売を可能とし同様にカード残高を書き換える（ＳＴＥＰ５）。追加金が不足額と同額であれば、カード６の残金はゼロとなる。ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ６）。不足金を追加しない場合は待機状態へともどる。
【００１７】
以上のように本実施の形態の自動販売機の制御装置によれば、先に商品選択を済ましたのちカード残高が不足している場合でも現金追加により精算を瞬時に行える。
【００１８】
（実施の形態２）
図３は本発明の実施の形態２による自動販売機の制御装置の要部構成を示すブロック図である。図４は、同実施の形態の動作を示すフローチャートである。なお、実施の形態１と同一構成のものは、同一符号を付してその詳細な説明を省略する。
【００１９】
以上のように構成された自動販売機の制御装置について、以下その動作を説明する。
【００２０】
図３、図４において、７は時間計数を行っているタイマーである。
本実施の形態は、実施の形態１による自動販売機の制御装置に、さらにタイマー７を設けたものである。
【００２１】
以上のように構成された自動販売機の制御装置について、以下その動作を説明する。
【００２２】
指定手段１によって販売商品が選定され（ＳＴＥＰ７）、カード６を読み書き手段２のカード読み書き部にかざすと（ＳＴＥＰ８）、演算制御部３ａは、商品価格データを前記タッチ式カード読み書き装置２により読み込まれたカード残高と比較し（ＳＴＥＰ３）、カード残高が商品価格データ以上であれば、前記読み書き手段２に商品を精算するための精算データを出力し、カード残高を書き換え（ＳＴＥＰ１２）、選択された商品を搬出手段５にて搬出する。
【００２３】
またこのとき、カード残高が商品価格データ以下であれば、カード６を読み書き装置２にかざした時点から時間計測を行い（ＳＴＥＰ１０）、一定時間内に検銭部４に不足金額を現金にて追加することにより（ＳＴＥＰ１１）、商品販売を可能とし同様にカード残高を書き換える（ＳＴＥＰ１２）。追加金が不足額と同額であれば、カード６の残金はゼロとなる。
【００２４】
ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ１３）。
【００２５】
以上のように本実施の形態の自動販売機の制御装置によれば、先に商品選択をすましたのちカード残高が不足している場合でも一定時間内の現金追加により精算を瞬時に行え、販売時間の短縮になる。
【００２６】
（実施の形態３）
図５は本発明の実施の形態３による自動販売機の制御装置の要部構成を示すブロック図である。図６は、同実施の形態の動作を示すフローチャートである。なお、実施の形態２と同一構成のものは、同一符号を付してその詳細な説明を省略する。
【００２７】
以上のように構成された自動販売機の制御装置について、以下その動作を説明する。
【００２８】
図５、図６において、８は追加金額の待受け時間を自動販売機管理者により任意に設定できる設定手段である。
本実施の形態は、実施の形態２による自動販売機の制御装置に、さらに設定手段８を設けたものである。
【００２９】
以上のように構成された自動販売機の制御装置について、以下その動作を説明する。
【００３０】
指定手段１によって販売商品が選定され（ＳＴＥＰ１４）、カード６を読み書き手段２のカード読み書き部にかざすと（ＳＴＥＰ１５）、演算制御部３ｂは、商品価格データを前記タッチ式カード読み書き装置２により読み込まれたカード残高と比較し（ＳＴＥＰ１６）、カード残高が商品価格データ以上であれば、前記読み書き手段２に商品を精算するための精算データを出力し、カード残高を書き換え（ＳＴＥＰ１９）、選択された商品を搬出手段５にて搬出する。
【００３１】
またこのとき、カード残高が商品価格データ以下であれば、カード６を読み書き装置２にかざした時点から時間計測を行い（ＳＴＥＰ１７）、予め設定手段８により設定されている任意の時間内に検銭部４に不足金額を現金にて追加することにより（ＳＴＥＰ１８）、商品販売を可能とし同様にカード残高を書き換える（ＳＴＥＰ１９）。追加金が不足額と同額であれば、カード６の残金はゼロとなる。
【００３２】
ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ２０）。
【００３３】
以上のように本実施の形態の自動販売機の制御装置によれば、先に商品選択をすましたのちカード残高が不足している場合でも自動販売機管理者の意に促した任意の時間内に現金追加により精算を瞬時に行え、販売時間の短縮になる。
【００３４】
（実施の形態４）
図７は本発明の実施の形態４による自動販売機の制御装置の要部構成を示すブロック図である。図８は、同実施の形態の動作を示すフローチャートである。なお、実施例４と同一構成のものは、同一符号を付してその詳細な説明を省略する。
【００３５】
以上のように構成された自動販売機の制御装置について、以下その動作を説明する。
【００３６】
図７、図８において、８ａは追加金額の待受け時間を現在時刻に応じて自動的に設定できる設定手段である。
【００３７】
以上のように構成された自動販売機の制御装置について、以下その動作を説明する。
【００３８】
指定手段１によって販売商品が選定され（ＳＴＥＰ２１）、カード６を読み書き手段２のカード読み書き部にかざすと（ＳＴＥＰ２２）、演算制御部３ｃは、商品価格データを前記タッチ式カード読み書き装置２により読み込まれたカード残高と比較し（ＳＴＥＰ２３）、カード残高が商品価格データ以上であれば、前記読み書き手段２に商品を精算するための精算データを出力し、カード残高を書き換え（ＳＴＥＰ２６）、選択された商品を搬出手段５にて搬出する。
【００３９】
またこのとき、カード残高が商品価格データ以下であれば、カード６を読み書き装置２にかざした時点から時間計測を行い（ＳＴＥＰ２４）、設定手段８ａにより現在時刻から自動的に設定された時間内に検銭部４に不足金額を現金にて追加することにより（ＳＴＥＰ２５）、商品販売を可能とし同様にカード残高を書き換える（ＳＴＥＰ２６）。追加金が不足額と同額であれば、カード６の残金はゼロとなる。
【００４０】
ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ２７）。
【００４１】
以上のように本実施の形態の自動販売機の制御装置によれば、先に商品選択をすましたのちカード残高が不足している場合でも、時間帯により自動的に設定された時間内に現金追加により精算を瞬時に行え、販売時間の短縮になる。
【００４２】
（実施の形態５）
図９は本発明の実施の形態４による自動販売機の制御装置の要部構成を示すブロック図である。図１０は、同実施の形態の動作を示すフローチャートである。なお、実施の形態４と同一構成のものは、同一符号を付してその詳細な説明を省略する。
【００４３】
以上のように構成された自動販売機の制御装置について、以下その動作を説明する。
【００４４】
図９、図１０において、３ｄはカード残高に基づいて販売可否を判定する演算制御部である。
【００４５】
以上のように構成された自動販売機の制御装置について、以下その動作を説明する。
【００４６】
指定手段１によって販売商品が選定され（ＳＴＥＰ２８）、カード６を読み書き手段２のカード読み書き部にかざすと（ＳＴＥＰ２９）、演算制御部３ｄは、商品価格データを前記タッチ式カード読み書き装置２により読み込まれたカード残高と比較し（ＳＴＥＰ３０）、カード残高が商品価格データ以上であれば、前記読み書き手段２に商品を精算するための精算データを出力し、カード残高を書き換え（ＳＴＥＰ３３）、選択された商品を搬出手段５にて搬出する。
【００４７】
またこのとき、カード残高が商品価格データ以下であれば、カード残高が一定金額以上残っている時のみ（ＳＴＥＰ３１）、検銭部４に不足金額を現金にて追加することにより（ＳＴＥＰ３２）、商品販売を可能とし同様にカード残高を書き換える（ＳＴＥＰ３３）。追加金が不足額と同額であれば、カード６の残金はゼロとなる。
【００４８】
ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ３４）。
【００４９】
以上のように本実施の形態の自動販売機の制御装置によれば、先に商品選択をすましたのちカード残高が不足している場合でも、カード残高が一定額以上残っている時のみ現金追加により精算を瞬時に行え、カード６による販売促進が行え、販売時間の短縮にもなる。
【００５０】
（実施の形態６）
図１１は本発明の実施の形態４による自動販売機の制御装置の要部構成を示すブロック図である。図１２は、同実施の形態の動作を示すフローチャートである。なお、実施の形態５と同一構成のものは、同一符号を付してその詳細な説明を省略する。
【００５１】
以上のように構成された自動販売機の制御装置について、以下その動作を説明する。
【００５２】
図１１、図１２において、３ｅはカード残高に基づいて販売可否を判定する演算制御部である。
【００５３】
８ｂは追加金額による販売可否とするカード残高を予め設定できる設定手段である。
【００５４】
以上のように構成された自動販売機の制御装置について、以下その動作を説明する。
【００５５】
指定手段１によって販売商品が選定され（ＳＴＥＰ３５）、カード６を読み書き手段２のカード読み書き部にかざすと（ＳＴＥＰ３６）、演算制御部３ｅは、商品価格データを前記タッチ式カード読み書き装置２により読み込まれたカード残高と比較し（ＳＴＥＰ３７）、カード残高が商品価格データ以上であれば、前記読み書き手段２に商品を精算するための精算データを出力し、カード残高を書き換え（ＳＴＥＰ４０）、選択された商品を搬出手段５にて搬出する。
【００５６】
またこのとき、カード残高が商品価格データ以下であれば、カード残高が予め設定手段７ｂにより設定された任意の金額以上残っている時のみ（ＳＴＥＰ３８）、検銭部４に不足金額を現金にて追加することにより（ＳＴＥＰ３９）、商品販売を可能とし同様にカード残高を書き換える（ＳＴＥＰ４０）。追加金が不足額と同額であれば、カード６の残金はゼロとなる。
【００５７】
ここで追加金が不足額より多かった場合、カード残金に返金分を書き込むことも出来、また、現金でのつり銭の返金も、いずれかを選択することも可能である。残金追加終了後、搬出手段５により選択商品の搬出を行う（ＳＴＥＰ４１）。
【００５８】
以上のように本実施の形態の自動販売機の制御装置によれば、先に商品選択をすましたのちカード残高が不足している場合でも、カード残高が自動販売機管理者の意に促した任意の額以上残っている時のみ現金追加により精算を瞬時に行え、カード６による販売促進が行え、販売時間の短縮にもなる。
【００５９】
【発明の効果】
以上説明したように請求項１に記載の発明は、購入商品の指定手段と、前記指定手段の指定操作に応じて購入商品を投出する搬出手段と共に、金額データが記憶されたデータキャリアに対して金額データの読み書きを非接触にて行う読み書き手段と、前記読み書き手段に読み取られた金額データから購入商品の代金を差し引いた残額を求め、前記読み書き手段に書き込み用の更新データとして送出すると同時に、前記残額に基づいて販売の可否を判定する演算制御部と、不足金額を現金精算にて行えるか否かを設定できる現金追加選択手段を備え、前記現金追加選択手段は前記データキャリアの残金が前記購入商品の代金以下で一定金額以上であれば現金販売を選択でき、現金追加により精算を行えることにより、カード販売での促進ができる。
【００６４】
また、請求項２に記載の発明は、販売の可否を選択するためのデータキャリア残高に対する設定を行う残高設定手段を備えることにより、残高設定手段により設定されたデータキャリアの残金に応じて現金販売の可否を選択することができ、自動販売機管理者の意に促したカード販売での促進ができる。
【図面の簡単な説明】
【図１】本発明による自動販売機の制御装置の実施の形態１の要部構成を示すブロック図
【図２】同実施の形態による自動販売機の制御装置の動作を示すフローチャート
【図３】本発明による自動販売機の制御装置の実施の形態２の要部構成を示すブロック図
【図４】同実施の形態による自動販売機の制御装置の動作を示すフローチャート
【図５】本発明による自動販売機の制御装置の実施の形態３の要部構成を示すブロック図
【図６】同実施の形態による自動販売機の制御装置の動作を示すフローチャート
【図７】本発明による自動販売機の制御装置の実施の形態４の要部構成を示すブロック図
【図８】同実施の形態による自動販売機の制御装置の動作を示すフローチャート
【図９】本発明による自動販売機の制御装置の実施の形態５の要部構成を示すブロック図
【図１０】同実施の形態による自動販売機の制御装置の動作を示すフローチャート
【図１１】本発明による自動販売機の制御装置の実施の形態６の要部構成を示すブロック図
【図１２】同実施の形態による自動販売機の制御装置の動作を示すフローチャート
【符号の説明】
１  指定手段
２  読み書き手段
３，３ａ，３ｂ，３ｃ，３ｄ，３ｅ  演算制御部
６  カード（データキャリア）
７  タイマー
８，８ａ，８ｂ  設定手段
【図１】
0004034088.tif 000002
【図２】
0004034088.tif 000003
【図３】
0004034088.tif 000004
【図４】
0004034088.tif 000005
【図５】
0004034088.tif 000006
【図６】
0004034088.tif 000007
【図７】
0004034088.tif 000008
【図８】
0004034088.tif 000009
【図９】
0004034088.tif 000010
【図１０】
0004034088.tif 000011
【図１１】
0004034088.tif 000012
【図１２】
0004034088.tif 000013